(57)【要約】  スキャニング光学システム（１０）の実施形態は、極短パルス持続期間のパルス光のビーム（３８）を提供する光源（２２）と、スキャン角度を通してビームを偏向するための偏向器（２６）と、偏向されたビームを集束するための集束対物レンズ（３０）を含むレンズシステムと、レンズシステムによってビームのパルスの分散に関連した歪みを低減するための分散補償デバイス（２５）と、可変形状の分散性ミラー（４２）及びそのミラーのためのアクチュエータデバイス（４４）を含む分散補償デバイスと、スキャン角度に従ってミラーの形状を変更するようにアクチュエータデバイスを制御するためのコントローラ（１８）と、を備える。【選択図】図１
2016511044.tif 000002
【特許請求の範囲】
【請求項１】
スキャニング光学システム（１０）であって、
極短パルス持続期間のパルス光のビーム（３８）を提供する光源（２２）と、
スキャン角度を通して前記ビームを偏向するための偏向器と、
前記偏向されたビームを集束するための集束対物レンズ（３０）を含むレンズシステムと、
前記レンズシステムによって前記ビームのパルスの分散に関連した歪みを低減するための分散補償デバイス（２５）であって、可変形状の分散性ミラー（４２）及び前記ミラーのためのアクチュエータデバイス（４４）を含む、分散補償デバイスと、
前記スキャン角度に従って、前記ミラーの形状を変更するように前記アクチュエータデバイスを制御するためのコントローラ（１８）と、を備える、スキャニング光学システム（１０）。
【請求項２】
前記可変形状の分散性ミラー（４２）が、前記ミラーの反射面上の位置とともに変動する分散特性を提供する多層構造を有する、請求項１に記載の光学システム。
【請求項３】
前記多層構造が、前記反射面にわたって、不均一な群遅延、不均一な群遅延分散、及び不均一な三次分散のうちの少なくとも１つをもたらすように構成される、請求項２に記載の光学システム。
【請求項４】
前記分散補償デバイス（２５）が、前記レンズシステムによってもたらされる群遅延及び群遅延分散のうちの少なくとも１つのバルクを補償するために空間的に均一な分散特性を有するバルク補償器（４６）を更に含む、請求項２または３に記載の光学システム。
【請求項５】
前記光源（２２）が、レーザー源であり、前記光が、人間の眼の組織内に切開部を生成するのに好適な中心波長を有する、請求項１〜４のいずれかに記載の光学システム。
【請求項６】
スキャニング光学システム（１０）であって、
極短パルス持続期間のパルス光のビーム（３８）を提供する光源（２２）と、
スキャン角度を通して前記ビームを偏向するための偏向器と、
前記偏向されたビームを集束するための集束対物レンズ（３０）を含むレンズシステムと、
可変形状ミラー（４２）と、
前記ミラーのためのアクチュエータデバイス（４４）と、
前記スキャン角度に従って、前記ミラーの形状を変更するように前記アクチュエータデバイスを制御するためのコントローラ（１８）と、を備える、スキャニング光学システム（１０）。
【請求項７】
前記可変形状ミラーが非分散性である、請求項６に記載のスキャニング光学システム。
【請求項８】
前記レンズシステムによって前記ビームのパルスの分散に関連した歪みを低減するための分散補償デバイスを含む、請求項７に記載のスキャニング光学システム。
【請求項９】
請求項１〜８のいずれか一項に記載のスキャニング光学システムであって、
前記コントローラによって命令されるような前記ミラーの前記形状の変更が、前記光学システムの群遅延の空間分布の変化量を調整するように設計され、その変化量は、異なるスキャン角度に付随する、スキャニング光学システム。
【請求項１０】
スキャニング方法であって、
極短パルス持続期間のパルス光のビームを提供することと、
スキャン角度を通して前記ビームを偏向することと、
集束対物レンズを用いて前記偏向されたビームを集束することと、
可変形状ミラーを提供することと、
前記スキャン角度に従って、前記可変形状ミラーの形状を制御して、異なるスキャン角度に対して前記集束対物レンズの群遅延の空間分布の変化量を少なくとも部分的に補償することと、を含む、方法。
【発明の詳細な説明】
【技術分野】
【０００１】
本開示は、極短パルス光のビームをスキャンするためのシステム及び方法に関するものである。
【背景技術】
【０００２】
電磁放射の極短パルスの場合、材料分散は、それらが光学システムにおいてガラスまたは他の光学材料を通って伝播するときに、パルスの望まれていない歪みをもたらす可能性がある。歪みの量は、パルスのスペクトルバンド幅に依存して、パルス持続期間が、２桁のフェムト秒範囲内の値またはそれよりも短い値まで減らされる際に、特に著しくなる。材料分散の悪影響は、伝播時間差（ＰＴＤ）、または群遅延（ＧＤ）、及び群速度分散（ＧＶＤ）を含む。ＧＶＤは、光学材料を通る異なる次数の分散から成る。群遅延分散（ＧＤＤ）は、二次の分散であり、光学材料を通って伝播するパルスの一時的な広がりをもたらす。高次は、三次分散（ＴＯＤ）及び四次分散（ＦＯＤ）を含む。ＰＴＤ及びＧＶＤの効果のより詳細な記述は、米国特許第２０１１／００５８２４１号において見付けられ得、その内容は、参照によって本明細書に組み込まれる。
【０００３】
光線によってレンズ内に横断される経路長は、レンズの光軸からの半径方向の距離に依存し得る。例えば、収束レンズは、レンズの中心部分においてより大きな厚みと、レンズの周辺部分においてより小さな厚みを有する。発散レンズでは、経路長は、レンズの周辺部分でより大きく、レンズの中心に向けてより小さくなる。レンズの光軸に対する半径方向の位置に依存して、レンズを通って伝搬する光線は、それ故、異なる量の分散を経験し得る。
【０００４】
レンズ内で光線によって横断される経路長はまた、レンズの光軸に対するレンズ材料における光線の伝播の角度にも依存し得る。角度であって、その角度で光線がレンズを横断する角度は、レンズ上の光線の入射角に依存する。同じ位置ではあるが、異なる入射角でレンズ上に入射する光線は、それ故、レンズ内の異なる経路長を経験する。入射角は、光のパルスを伝播するビームが、ビームの伝播の方向に直交する平面にわたってスキャンされる際に、変動し得る。異なる入射角は、それ故、異なるスキャン角度を表し得る。したがって、スキャン角度に依存して、レンズを通って伝搬する光線は、異なる量の分散を経験し得る。特に、光線は、スキャン角度の異なる値についてＧＤの異なる量を経験し得る。
【０００５】
分散性ミラーは、光学システムによってもたらされるＧＤＤを低減するのに有用である。この目的のために、分散性ミラーは、負のチャープをもたらすように設計され得、それは、光学システムを通って移動するパルスのために光学システムによってもたらされる正のチャープ（一時的な広がり）を少なくとも部分的に補償する。米国特許公開第２０１１／００５８２４１Ａ１号は、入射角とともに変動するＧＤＤ値を有するチャープ式多層ミラーを説明する。
【発明の概要】
【０００６】
本開示は、極短パルス持続期間のパルス光のビームを提供する光源と、スキャン角度を通してビームを偏向するための偏向器と、偏向されたビームを集束するための集束対物レンズを含むレンズシステムと、レンズシステムによってビームのパルスの分散に関連した歪みを低減するための分散補償デバイスと、可変形状の分散性ミラー及びそのミラーのためのアクチュエータデバイスを含む分散補償デバイスと、スキャン角度に従ってミラーの形状を変更するようにアクチュエータデバイスを制御するためのコントローラと、を備える、スキャニング光学システムを提供する。
【０００７】
可変形状の分散性ミラーの形状を変更することは、ミラーの異なる位置に入射する波束間の相対遅延をもたらすか変えるのに効果的であり得る。このようにして、ミラーの異なる位置に入射する波束間の相対的な一時的変位が、調節され得、レンズシステムのスキャン角度に対する群遅延（ＧＤ）の空間分布の変化量が、少なくとも部分的に補償され得る。可変形状の分散性ミラーの形状を変更することは、ミラーの１つ以上の反射面部分をミラーの１つ以上の他の反射面部分に対して後または前に移動することを含んでもよい。
【０００８】
ある特定の実施形態において、可変形状の分散性ミラーは、ミラーの反射面上の位置とともに変動する分散特性を提供する多層構造を有する。例えば、可変形状の分散性ミラーの多層構造は、反射面にわたって、不均一なＧＤ、不均一なＧＤＤ、及び不均一なＴＯＤのうちの少なくとも１つをもたらし得る。ミラーの不均一なＧＤは、レンズシステムの光軸からの半径方向のオフセットの異なる値に対してＧＤの変化量を補償するのに有用であり得る。同様に、ミラーの不均一なＧＤＤ及びＴＯＤは、レンズシステムの光軸からの半径方向のオフセットの異なる値に対して、それぞれ、ＧＤＤ及びＴＯＤの変化量を補償するのに有用であり得る。ＧＤ、ＧＤＤまたはＴＯＤの空間的な変化量は、例えば、眼科手術のために設計されたフェムト秒レーザーシステムにおいて、使用されるような、大口径光学において特に顕著であり得る。
【０００９】
ある特定の実施形態において、分散補償デバイスが、レンズシステムによってもたらされる群遅延及び群遅延分散のうちの少なくとも１つのバルクを補償するための空間的に均一な分散特性を有するバルク補償器を更に含む。
【００１０】
ある特定の実施形態において、光源はレーザー源であり、光は、人間の眼の組織内に切開部を生成するのに好適な中心波長を有する。
【００１１】
本開示はまた、極短パルス持続期間のパルス光のビームを提供することと、スキャン角度を通してビームを偏向することと、集束対物レンズを用いて偏向されたビームを集束することと、可変形状ミラーを提供することと、異なるスキャン角度に対して集束対物レンズの群遅延の空間分布の変化量を少なくとも部分的に補償するように、スキャン角度に従って可変形状ミラーの形状を制御することと、を含む、スキャニング方法を提供する。
【００１２】
本開示のある特定の実施形態において、可変形状の分散性ミラーは、可変形状の非分散性ミラーと取り替えられ得ることに留意する。そのような実施形態において、可変形状ミラーは、光ビームのスキャン角度に基づいて、局地的に、すなわち、異なる空間的な位置について個別に、ミラーと後続の光学部材（例えばレンズ）との間の空隙の長さを調節するために更に使用され得る。このようにして、光学システムの群遅延の空間分布の変化量が調整され得、その変化量は、異なるスキャン角度に付随する。更に、可変形状ミラーは、これらの実施形態においてミラー上に入射するパルスに対する群速度分散をもたらさない。
【図面の簡単な説明】
【００１３】
本開示の実施形態は、ここで、添付の図面を参照にしてより詳細に例として記載されることになる。
【００１４】
【図１】ある実施形態に係る、人間の眼内に切開部を生成するために有用であるスキャニング光学システムの例を例示する。
【図２】ある実施形態に係る分散補償デバイスの詳細を例示する。
【図３】ある実施形態に係るスキャニング方法のステップを例示する。
【発明を実施するための形態】
【００１５】
ここで、図面を参照して、開示されるシステム及び方法の例示的実施形態を詳細に示す。以下の説明は、網羅的であること、または別様に、付属の特許請求の範囲を、図面に示され説明において開示される特定の実施形態に限定または制限することを意図しない。図面は可能な実施形態を表しているものの、図面は必ずしも縮尺通りではなく、実施形態をより良く例示するために、ある特定の特徴が簡略化される、誇張される、取り除かれる、または部分的に分割される可能性がある。更に、ある特定の図面は、概略的な形式となり得る。
【００１６】
図１は、レーザー光の極短パルスのビームをスキャンして集束することができるスキャニング光学システム１０の例示的実施形態を例示する。例示される実施形態において、スキャニング光学システム１０は、レーザーデバイス及び制御コンピュータを含む。レーザーデバイスは、レーザー光を使用して、角膜、人間の水晶体、または人間の眼の他の組織構造において切開部を生成することができる。本明細書において使用される際、極短は、１００、８０、５０、または２０フェムト秒（ｆｓ）より小さいパルス持続期間を意味することが意図される。ある特定の実施形態において、パルス持続期間は、１桁のフェムト秒範囲（すなわち、１０ｆｓ以下）内にあるか、あるいはアト秒（ａｓ）範囲内にある。
【００１７】
図１の例示した例において、スキャニング光学システム１０は、人間の眼１２上でレーザー手術を行う。スキャニング光学システム１０は、レーザーデバイス１４、患者アダプタ１６、制御コンピュータ１８、及びメモリ２０を含み、それらは、図示されるように結合され得る。レーザーデバイス１４は、図示されるように結合されたレーザー源２２、ビーム拡大器２４、分散補償デバイス２５、スキャナ２６、１つ以上の光学ミラー２８、及び集束対物レンズ３０を含む。患者アダプタ１６は、接触要素３２及びサポートスリーブ３４を含み、それらは、図示されるように結合され得る。メモリ２０は、制御プログラム３６を保存する。
【００１８】
レーザー源２２は、極短パルスを備えるレーザービーム３８を生じる。レーザービーム３８の焦点は、眼１２の角膜などのような組織または他の組織構造においてレーザー誘起光学ブレークダウン（ＬＩＯＢ）を生成し得る。レーザービーム３８は、任意の好適な波長、例えば３００〜１９００ナノメートル（ｎｍ）の範囲内の波長、例えば３００〜６５０、６５０〜１０５０、１０５０〜１２５０、１１００〜１５００または１５００〜１９００ｎｍの範囲内の波長を有し得る。レーザービーム３８はまた、比較的小さな集束量、例えば、５マイクロメートル（μｍ）以下の直径を有し得る。
【００１９】
ビーム拡大器２４、分散補償デバイス２５、横スキャナ２６、光学ミラー２８、及び集束対物レンズ３０は、レーザービーム３８のビーム経路にある。
【００２０】
ビーム拡大器２４は、レーザービーム３８の幅または直径を拡大するように構成される。ビーム拡大器２４の例は、ガリレイ型の無限焦点望遠鏡である。
【００２１】
スキャナ２６は、レーザービーム３８の焦点を横に制御するように構成される。「横」は、レーザービーム３８の伝播方向に直角の方向を指し、「縦」は、ビーム伝播の方向を指す。横方向の平面は、ｘ−ｙ平面として指定することができ、縦方向は、ｚ方向として指定することができる。スキャナ２６は、任意の好適な手法でレーザービーム３８を横に偏向してもよい。例えば、スキャナ２６は、互いに垂直な軸の周りで傾斜され得る、ガルバノ式に作動されるスキャナミラーの対を含んでもよい。別の例として、スキャナ２６は、レーザービーム３８を電気光学的に操作し得る電気光学結晶を含んでもよい。
【００２２】
レーザーデバイス１４はまた、ｚ方向にビーム３８の焦点を変位させるためにレーザービーム３８を縦に誘導することもできる。縦方向のスキャニングの場合、レーザーデバイス１４は、縦に調節可能なレンズ、可変屈折力のレンズ、またはビーム焦点のｚ位置を制御することができる可変形状ミラーを含んでもよい。ある特定の実施形態において、ビーム拡大器２４は、２つ以上のレンズから成るレンズアセンブリを含み、ビーム拡大器２４のレンズのうちの１つは、縦に調節可能に配置されるか、または可変屈折力を有する。他の実施形態において、スキャナ２６は、例えば可変形状ミラーなどのような、縦方向のスキャニング部材を含む。
【００２３】
１つ以上の光学ミラー２８は、レーザービーム３８を集束対物レンズ３０に向けて誘導する。例えば、光学ミラー２８は、固定式偏位ミラーまたは可動式偏位ミラーであってもよい。代替として、レーザービーム３８を屈折及び／または回折し得る光学要素が、光学ミラー２８の代わりに提供されてもよい。
【００２４】
集束対物レンズ３０は、レーザービーム３８を眼１２のターゲット領域の上に集束させる。集束対物レンズ３０は、患者アダプタ１６に別個に結合されてもよい。集束対物レンズ３０、任意の好適な光学デバイス、例えばＦシータ対物レンズであってもよい。ある特定の実施形態において、集束対物レンズ３０は、複数の屈折レンズから成るマルチレンズデバイスである。
【００２５】
患者アダプタ１６は、眼１２の角膜と連動する。スリーブ３４は、集束対物レンズ３０と結合し、接触要素３２を保持する。接触要素３２は、レーザー光に対して透明であるか半透明であり、角膜と連動する及び角膜の一部を水平にし得る隣接面４０を有する。ある特定の実施形態において、隣接面４０は平面であり、角膜上に平面領域を形成する。隣接面４０は、平面領域もｘ−ｙ平面上にあるように、ｘ−ｙ平面上にあってもよい。他の実施形態において、隣接面４０は、平面である必要はなく、例えば、凸状または凹状であってもよい。
【００２６】
制御コンピュータ１８は、制御プログラム３６に従って、レーザーデバイス１４の制御可能な構成要素、例えば、レーザー源２２、ビーム拡大器２４、分散補償デバイス２５、スキャナ２６、及び任意選択的に（複数の）光学ミラー２８のうちの少なくとも１つなどを制御する。制御プログラム３６は、制御可能な構成要素に、パルスレーザー光線を眼１２の領域に集束させてその領域の少なくとも一部を光切断させるように命令する、コンピュータコードを含有する。
【００２７】
スキャニング光学システム１０のスキャニング構成要素は、任意の好適な幾何形状の切開部を形成するようにレーザービーム３８を誘導することができる。眼１２の組織の任意の好適な部分が光切断され得る。光学システム１０は、所与のスキャン経路に沿ってレーザービーム３８の焦点を移動することによって組織層を光切断し得る。レーザービーム３８がスキャン経路に沿って移動するにつれて、レーザー光パルスは、眼１２の組織において光切断部を生成する。複数の光切断部の並置は、眼１２内に任意の所望の幾何形状の切開部を生成することを可能にする。
【００２８】
分散補償デバイス２５は、レーザービーム３８によって伝播されるパルスが分散補償デバイス２５を通して移動するように、配置される。分散補償デバイス２５は、分散補償デバイス２５を横断するパルスに群遅延及び群速度分散の量を加える。より具体的には、分散補償デバイス２５は、パルスのためにレーザーデバイス１４の残りにもたらされる量を部分的または完全に補償する適切な量のＧＤ及びＧＤＤをもたらす。分散補償デバイス２５は、適切な量のＴＯＤを更に加えてもよい。レーザーデバイス１４からの出力として、レーザーパルスは、それ故、最小量の分散に関連した歪みを有する。
【００２９】
ある特定の実施形態において、分散補償デバイス２５は、分散補償デバイス２５によって提供される分散の量の全てを加える単一の補償器を有しても良い。他の実施形態において、分散補償デバイス２５は、別個の量の分散を加える２以上の補償器を含んでもよい。一例において、分散補償デバイス２５は、バルク補償器及び残りの補償器を有する。バルク補償器は、レーザーデバイス１４の出力においてパルスの分散に関連した歪みを最小量まで減らすために要求される分散のバルクをもたらす。バルク補償器によってもたらされる分散は、空間的に均一であり、すなわち、バルク補償器上のレーザービーム３８の波束の入射の全ての位置について同じである。残りの補償器は、分散の残りの量をもたらす。残りの補償器によって加えられた分散は、空間的に不均一であり、すなわち、残りの補償器上のレーザービーム３８の波束の入射の異なる位置に対して異なる。ある特定の実施形態において、残りの補償器によって加えられた分散は、回転対称性を有し、対称の軸に対して半径方向に変動する。
【００３０】
参照が、ここで、分散補償デバイス２５の例示的実施形態を例示する図２に更になされる。図２に示されるように、分散補償デバイス２５は、可変形状の分散性（もしくは「チャープ式」）ミラー４２、アクチュエータデバイス４４、及びバルク補償器４６を備える。可変形状の分散性ミラー４２は、層ごとに異なる屈折率を有する複数の薄い誘電体層の多層構造によって形成された反射面４８を有する。アクチュエータデバイス４４は、制御コンピュータ１８と接続されており、他の表面部分に対して反射面４８の選択された部分を前後に移動することを可能にして、それによって、反射面４８の形状を変更する。例示的実施形態において、アクチュエータデバイス４４は、複数の個別に制御可能な作動部材を含んでもよく、各作動部材は、反射面４８の異なる部分に作用する。可変形状の分散性ミラー４２は、任意の好適な種類のものであり得る。ある特定の実施形態において、ミラー４２は、区分された反射面を含んでもよく、各区分は、他の区分とは独立して後または前に移動され得る。他の実施形態において、ミラーは、連続的な反射面を有しても良い。例えば、ミラー４２は、ＭＥＭＳ（微小電子機械システム）デバイスとして製作されてもよい。
【００３１】
可変形状の分散性ミラー４２は、残りの補償器として機能して、スキャニング光学システム１０の残りにおいてもたらされる群速度分散の空間的な変化量を補償する。可変形状の分散性ミラー４２の多層構造は、ミラー４２に衝突するパルスのために空間的に不均一な群速度分散を追加するように設計される。ミラー４２の空間的に不均一な群速度分散は、少なくともＧＤＤについて、ある特定の実施形態では、また、ミラー４２の反射面４８上の異なる位置に対するＴＯＤについて、異なる値を有する。光線追跡が、（分散補償デバイス２５を除いた）スキャニング光学システム１０の群速度分散の空間的なパターンを決定する方法として使用され得る。スキャニング光学システム１０のＧＶＤパターンに基づいて、可変形状の分散性ミラー４２の多層構造が、ＧＶＤパターンにおける空間的な変化量を少なくとも部分的に排除するように好適に設計され得る。
【００３２】
ある特定の実施形態において、可変形状の分散性ミラー４２の多層構造はまた、ミラー４２に衝突するパルスのために空間的に不均一な群遅延を加えるように設計される。多層構造によって加えられる群遅延の空間分布は、可変形状ミラー４２の形状を変更することによって調節され得る。他の実施形態において、可変形状の分散性ミラー４２の多層構造は、群遅延を加えない。そのような実施形態において、反射面４８上の異なる位置に入射する波束の相対位相は、それにもかかわらず、ミラー４２の形状を変更することによって調節され得、それによって、ミラー４２から反射されるパルスのために空間的に不均一な群遅延パターンをもたらす。
【００３３】
バルク補償器４６は、例えば、反対側に配置された分散性ミラー（詳細には示されない）の対から成る。レーザービーム３８は、一方側からミラー間の空間に入り、所定の回数についてミラー間を前後に反射して、次いで、他方側上のミラーの対から去る。対のミラーの一方からレーザー光パルスの全ての反射は、ミラー対によってパルスに加えられる全体の分散が、ミラー対においてパルスによって経験される反射の数に依存するように、分散をパルスに加える。バルク補償器の他の構成、例えば、単一の分散性ミラー、プリズムの対、または回折格子の対が、同様に考えられることが理解されることになる。光学システムによってもたらされる全体の分散が十分に小さい場合などのような、ある特定の実施形態において、バルク補償器４６が省略されてもよく、可変形状の分散性ミラー４２が、光学システムの分散を補償するための唯一の補償器であってもよい。
【００３４】
スキャナ２６がレーザービーム３８を偏向する際、集束対物レンズ３０においてレーザービーム３８の光線によって横断される経路長、及び任意の中間の空隙は、変動し得る。図１は、偏向されたレーザービーム３８’を破線によって示す。偏向されたレーザービーム３８’の偏向の量を変動させることで、すなわち、スキャン角度の値を変動させることで、偏向されたビーム３８’のパルスのためにもたらされる群遅延の空間的なパターンは、それが集束対物レンズ３０から出力される前に変更できる。そのような変更について調整するために、制御プログラム３６は、スキャン角度に従って可変形状ミラー４２の形状を変更するようにアクチュエータデバイス４４を制御するための命令を有する。可変形状ミラー４２の形状の変更は、ミラー４２の反射面４８上に異なる位置に入射する波束間の相対位相関係を修正するという効果を有する。好適な様式でミラー４２の形状を調節することによって、集束対物レンズ３０の出力側に偏向されたビーム３８’のパルスによって呈される群遅延の空間分布のスキャン角度での変化量は、最小量まで減らされ得る。
【００３５】
図３は、スキャニング光学システム１０を使用して行われ得るスキャニング方法の例である。方法は、眼１２内に切開部を生成するために使用され得る。ステップ２００で、パルスレーザー光のビーム３８が提供される。ステップ２１０で、ビーム３８は、制御プログラム３６に従うスキャン角度を通して、横に、すなわち、ｘ−ｙ平面に平行に偏向され、偏向されたビーム３８’を結果としてもたらす。ステップ２２０で、偏向されたビーム３８’は、眼１２のターゲット領域に集束されて、眼の組織内にＬＩＯＢをベースとする光切断部を生じさせる。偏向されたビーム３８’のスキャン角度に基づいて、可変形状の分散性ミラー４２の形状は、偏向されたビーム３８’のパルスのために集束対物レンズ３０によってもたらされる群遅延の空間的なパターンの変化量を考慮するようにステップ２３０で制御されて、その変化量は、スキャン角度の異なる値に付随する。
【図１】
2016511044.tif 000003
【図２】
2016511044.tif 000004
【図３】
2016511044.tif 000005
【国際調査報告】
2016511044.tif 000006
2016511044.tif 000007
2016511044.tif 000008